(57)【要約】【課題】流量遮断時にガス使用者やガス事業者が使用ガス器具を推測可能な情報を報知することが可能なガスメータを提供する。【解決手段】ガスメータに、ガス供給の安全性を判断し異常を検知する検知手段と、検知手段により異常が検知されたときにガス供給を遮断する遮断手段と、遮断の要因を報知する報知手段とを備える。この報知手段は、遮断手段での遮断の要因となった検知手段で検知した異常がガス流量に関する異常であった場合に、使用ガス器具を推測可能な情報を表示する。例えば、合計流量遮断をした時には、遮断の詳細要因の表示としてサブカウンタ表示画面３２に合計流量遮断を示す「Ｆ−４２」を表示すると共に、遮断流量値が３０００Ｌ／ｈである場合、それを示す情報として、サブカウンタ表示画面３２に例えば遮断流量値の上２桁の情報「３０」を表示する。【選択図】図３
2008275430.tif 000002
【特許請求の範囲】
【請求項１】
ガス供給の安全性を判断し異常を検知する検知手段と、該検知手段により異常が検知されたときにガス供給を遮断する遮断手段と、該遮断の要因を報知する報知手段とを備えたガスメータであって、前記報知手段は、前記遮断手段での遮断の要因となった前記検知手段で検知した異常がガス流量に関する異常であった場合に、使用ガス器具を推測可能な情報を表示する表示手段を有することを特徴とするガスメータ。
【請求項２】
前記表示手段は、前記ガス流量に関する異常が、合計流量が所定の遮断流量値を上回る異常であったとき、前記推測可能な情報として、前記遮断流量値を示す情報を表示することを特徴とする請求項１に記載のガスメータ。
【請求項３】
前記表示手段は、前記ガス流量に関する異常が、増加流量が所定の遮断流量値を上回る異常であったとき、前記推測可能な情報として、前記遮断流量値を示す情報を表示することを特徴とする請求項１又は２に記載のガスメータ。
【請求項４】
当該ガスメータは、ガス流量を予め定めた複数の流量区分毎に積算可能とし、前記表示手段は、前記ガス流量に関する異常が、継続使用時間が所定の遮断使用時間を上回る異常であったとき、前記推測可能な情報として、前記流量区分を示す情報を表示することを特徴とする請求項１〜３のいずれか１項に記載のガスメータ。
【請求項５】
前記表示手段は、前記ガス流量に関する異常が、継続使用時間が所定の遮断使用時間を上回る異常であったとき、前記推測可能な情報として、前記遮断使用時間を示す情報を表示することを特徴とする請求項１〜４のいずれか１項に記載のガスメータ。
【発明の詳細な説明】
【技術分野】
【０００１】
本発明は、ガスメータに関し、より詳細には、遮断機能を有するガスメータに関する。
【背景技術】
【０００２】
従来から、ガスメータとして、ガスの供給に係る各種機能を実現するための所定のプログラムに従って動作するマイクロコンピュータ（以下、マイコンという）を内蔵し、このマイコンで制御される所謂マイコンメータが使用されている。この各種機能には、例えば、保安上重要な遮断機能の他に、消費者の利便性のための機能や、ガス事業者にとって作業効率の向上を図るための機能などが含まれ、ユーザが使用するガス機器などの使用環境に合わせて、適宜必要な機能が選択され設定される。このときの設定データは、マイコン内のメモリに記憶され、この設定に従ってガスメータが備える各種機能が実行されることになる。
【０００３】
上述の各種機能のうち、ガス供給の遮断機能を備えたガスメータにあっては、遮断が何によって発生したかをガス事業者やガス使用者に提示するために、ガスメータの表示部にこの発生事象に大まかに対応した表示が行われている。ここで、現状のマイクロコンピュータを搭載したガスメータ（マイコンメータ）では、ＡＢＣ表示で表示内容の表示が行われている。
【０００４】
しかしながら、遮断時には表示部に発生事象に大まかに対応した表示がなされるが、異なる種類の遮断が発生しても同じ表示である場合が多く、数ある中でどの発生事象によって生じた遮断であるかの詳細が表示されるわけではないので、発生事象の詳細が判らない。従って、ガスメータが何らかの要因で遮断した場合には、遮断要因の確定に時間を要するため、弁開までの作業効率が悪く、ガス使用者宅でガスが使えない状態が続き、ガス使用者宅に多大な迷惑がかかるという問題がある。このことは、マイコンメータで表示する表示内容（ＡＢＣ表示）にあっては特に顕著な問題となる。
【０００５】
このような問題を解決するために、特許文献１には、ガス供給が遮断された時に、その詳細な遮断の要因を報知することが可能なガスメータが開示されている。このガスメータは、ガス供給の安全性を判断し、異常を検知する複数の検知手段と、その検知手段によって異常が検知された時と遮断操作がなされた時に、ガス供給を遮断する遮断手段と、遮断の詳細な要因として、複数の検知手段のうちの異常を検知した検知手段又は実行された遮断操作に対応する情報を報知する報知手段とを備える。
【０００６】
図４は、従来（特許文献１）のガスメータにおける表示部の表示例を示す図である。図４において、３０は表示部における表示画面であり、３１はセキュリティ表示画面であって表示画面３０中のＡＢＣ表示領域を指し、３２はサブカウンタ表示画面であって表示画面３０中の遮断詳細要因表示領域を指す。特許文献１に記載のガスメータは、このような表示画面３０を表示する表示部を有し、遮断事象が発生したか否かを判定し、発生していれば遮断事象をＡＢＣ表示でセキュリティ表示画面３１に表示すると共に、遮断詳細要因をサブカウンタ表示画面３２に表示する。
【０００７】
より具体的には、合計流量遮断の時、増加流量遮断の時、継続使用時間遮断の時には、それぞれ、図４（Ａ），（Ｂ），（Ｃ）のごとくＡＢＣ表示以外にサブカウンタ表示画面３２に「Ｆ−４２」、「Ｆ−４３」、「Ｆ−４４」と表示する。その他、例えばテスト遮断の時、感震器遮断の時、警報器遮断の時には、ＡＢＣ表示以外にサブカウンタ表示画面３２に、それぞれ「Ｆ−２１」、「Ｆ−３２」、「Ｆ−３３」と表示する。
【特許文献１】特開２００６−１７５１５号公報
【発明の開示】
【発明が解決しようとする課題】
【０００８】
しかしながら、特許文献１に記載のガスメータでは、ガス器具を使用中に流量遮断が発生した場合に、遮断詳細要因としてＦ−４２／Ｆ−４３／Ｆ−４４といった表示を行うだけであり、弁開までの作業効率が悪い。
【０００９】
すなわち、このガスメータでは、流量遮断（合計／増加／使用時間）の判別が可能なだけであり、その流量がどのガス器具によって使用されたものかといった、より詳細な要因までは分からないため、弁開までの作業効率が悪い。
【００１０】
さらに、弁開後もガス使用者がガス器具を同じ使い方で使用していると再度遮断する可能性もあり、ガス使用者宅でガスが使えない状態が続き、ガス使用者宅に多大な迷惑がかかるという問題がある。
【００１１】
本発明は、上述のごとき実情に鑑みてなされたものであり、流量遮断時にガス使用者やガス事業者が使用ガス器具を推測可能な情報を報知することが可能なガスメータを提供することを、その目的とする。
【課題を解決するための手段】
【００１２】
上述のごとき課題を解決するために、本発明の第１の技術手段は、ガス供給の安全性を判断し異常を検知する検知手段と、該検知手段により異常が検知されたときにガス供給を遮断する遮断手段と、該遮断の要因を報知する報知手段とを備えたガスメータであって、前記報知手段は、前記遮断手段での遮断の要因となった前記検知手段で検知した異常がガス流量に関する異常であった場合に、使用ガス器具を推測可能な情報を表示する表示手段を有することを特徴としたものである。
【００１３】
第２の技術手段は、第１の技術手段において、前記表示手段は、前記ガス流量に関する異常が、合計流量が所定の遮断流量値を上回る異常であったとき、前記推測可能な情報として、前記遮断流量値を示す情報を表示することを特徴としたものである。
【００１４】
第３の技術手段は、第１又は第２の技術手段において、前記表示手段は、前記ガス流量に関する異常が、増加流量が所定の遮断流量値を上回る異常であったとき、前記推測可能な情報として、前記遮断流量値を示す情報を表示することを特徴としたものである。
【００１５】
第４の技術手段は、第１〜第３のいずれかの技術手段において、当該ガスメータは、ガス流量を予め定めた複数の流量区分毎に積算可能とし、前記表示手段は、前記ガス流量に関する異常が、継続使用時間が所定の遮断使用時間を上回る異常であったとき、前記推測可能な情報として、前記流量区分を示す情報を表示することを特徴としたものである。
【００１６】
第５の技術手段は、第１〜第４のいずれかの技術手段において、前記表示手段は、前記ガス流量に関する異常が、継続使用時間が所定の遮断使用時間を上回る異常であったとき、前記推測可能な情報として、前記遮断使用時間を示す情報を表示することを特徴としたものである。
【発明の効果】
【００１７】
本発明によれば、ガスメータにおいて、流量遮断時にガス使用者やガス事業者が使用ガス器具を推測可能な情報を報知することが可能となる。
【発明を実施するための最良の形態】
【００１８】
図１は、本発明の一実施形態に係るガスメータの一構成例を示す図で、一般的なマイコンメータの一構成例を示す図でもある。また、図２は、図１のガスメータにおいてガス供給遮断となる事象及びその表示例を示す図である。
【００１９】
図１において、１はガスメータ、２は外部装置、１０は制御部、１１は計量部、１２はセンサ部、１３は表示部、１４は遮断部、１５は端子台、２１は宅内操作器、２２はＮＣＵ、２３はガス洩れ警報器、２４は外部１機器（外部端子１の機器）、２５は外部２機器（外部端子２の機器）である。
【００２０】
ガスメータ１は、ガスメータ１における各種制御を行う制御部１０、ガス流量を計量すする計量部１１、センサ部１２、表示部１３、及び遮断部１４を備え、さらに、外部装置２との接続を行う端子台１５を備える。
【００２１】
計量部１１は、ガス流量に応じた回転体の回転数又は流体振動を出力する計量機能１１ａからなる。また、センサ部１２は、ガス流量やセキュリティに関係する物理量を検出するセンサ類からなり、電池１０ｃの電圧を検出する電圧検出センサ１２ａ、計量機能１１ａの出力を検出する流量センサ１２ｂ、ガス圧力低下などガス圧力を検知する圧力センサ１２ｃ、地震波等の振動を検知する感震器１２ｄ等から構成されている。なお、流量センサ１２ｂは、流量を検出するためのセンサで、勿論、流速センサであってマイコン１０ａにて流量に演算するものであってもよいし、流量演算器（流量変換器）を介してマイコン１０ａに流量を送信するものであってもよい。
【００２２】
また、制御部１０は、主として、取り込まれたセンサの信号を演算処理して処理データを収納し、表示部１３に出力したり端子台１５を介して外部に出力するもので、マイクロコンピュータ（以下、マイコンという）１０ａ、インタフェース１０ｂ、電源となる電池１０ｃ、双方向遮断弁１４ａが正常に機能するかをテストするためのテスト遮断スイッチ１０ｄ、容器リセットスイッチ１０ｅ等から構成されている。なお、電池１２は少なくとも制御部１０の電源となるものである。また、マイコン１０ａは、流量センサ１２ｂへ命令し流量センサ１２ｂからの流量検出信号に基づいて流量を計測して積算する処理を行う電子制御装置であり、演算処理をするＭＰＵと、それら各手段としてＭＰＵを機能させるためのプログラムを記録し処理データを記録するメモリとで構成される。また、マイコン１０ａによって、本発明に係る報知処理が主として制御され、例えばそのメモリに後述する検知事項に対応する表示記号などが格納され、読み出される。
【００２３】
また、表示部１３は、制御部１０により処理されたデータを所定のプログラムまたは外部からの指令に従って表示するＬＣＤ（液晶表示器）等の表示装置であり、ガス流量の積算表示部１３ａ、セキュリティ表示部１３ｂ、サブカウンタ表示部１３ｃ等からなっている。また、遮断部１４は、センサ部１２の信号による異常等が生じたとき、制御部１０のマイコン１０ａからの命令により制御弁を遮断するもので、制御弁としての双方向遮断弁１４ａ、復帰ボタン１４ｂ等とから構成されている。
【００２４】
一方、外部装置２は、端子台１５を介してガスメータ１の外部に接続される機器類であり、例えば、宅内でガスメータ１の操作を行う宅内操作器２１、ガスメータ１との間で発呼，選択信号の送出，切断など電話交換網を制御するＮＣＵ２２、ガスメータ１におけるガス洩れを警報するガス洩れ警報器２３、及びハンディターミナルやＰＣ（パーソナルコンピュータ）等、その他の外部機器（ここでは外部１機器２４及び外部２機器２５）が設けられている。
【００２５】
ＮＣＵ２２は、ガスメータ１の通信機能（自動通報，遠隔遮断，自動検針など）を行うためガス検針センタなどとガスメータ１を電話回線で接続する機器であり、電話機とガスメータ１を自動的に切り替えてガスメータ１のデータの送受信を行う。ＮＣＵ２２は通常、Ｎライン通信端子（Ｎライン通信ポート）に接続される。ハンディターミナルやＰＣは、検針器や設定器として用いられるものであり、設定器は、設置されているガスメータの設定変更や確認などを行う機器である。設定，確認が行われる項目には、継続使用時間設定、口火登録などあるが、ガス事業者の運用形態によりその仕様は決定される。
【００２６】
以上のように構成されたガスメータ１が、ガスラインに設置され、復帰ボタン（遮断弁開スイッチ）１４ｂがＯＮ（閉路）されると、自己保持により弁開を継続し、ガス流量計測が開始される。内蔵された圧力センサ１２ｃや流量センサ１２ｂにより検知された圧力データや流量データは、制御部１０に取り込まれて演算処理され、定められたプログラムに従って安全性を判断して計測を継続するか、遮断弁を閉止し、警報を発するか等が指令される。
【００２７】
センサ部１２で例示したように、本発明に係るガスメータ１には、ガス供給の安全性を判断し異常を検知する検知手段が設けられており、さらに双方向遮断弁１４ａ及び制御部１０で例示したようにその検知手段により異常が検知されたときにガス供給を遮断する遮断手段を備える。さらに、このガスメータ１は、セキュリティ表示部１３ｂやサブカウンタ表示部１３ｃで例示したように、その遮断の要因を報知する報知手段を備える。
【００２８】
図２は、図１のガスメータにおいてガス供給遮断となる事象及びその表示例を示す図である。図２では、表示内容と共に表示の優先順位を示している。ここで、遮断の要因となる事象としては、図２（Ａ）に示すように、遮断弁が動かないもの、ガス事業者やガス使用者等の人が操作により行うもの、センサ類（マイコン外部のセンサ類）による遮断、及び流量によるものに、大きく分類される。
【００２９】
遮断弁が動かないという事象は、ＣＰＵ側／遮断弁側において電池電圧低下による検知、センタ命令によるセンタ操作、及び漏洩検査中である検査員の操作が挙げられ、それぞれ、例えば「Ｆ−１１」（「Ｆ−１１1」／「Ｆ−１１2」）、「Ｆ−１２」、及び「Ｆ−１３」とサブカウンタ表示部１３ｃに表示すればよい。なお、これらに対しては、従来のＡＢＣ表示に従い、それぞれ「Ａ，ガス止」、「ガス止」、及び「Ａ，ガス止，Ｒ」の表示がセキュリティ表示部１３ｂになされる。
【００３０】
人が行う遮断の事象は、テスト遮断スイッチ１０ｄの押下操作によるテスト遮断操作、宅内操作器２１による宅内からの遠隔閉操作、Ｈラインを介した緊急遮断操作、及びＮラインを介した緊急遮断操作が挙げられ、それぞれ、例えば「Ｆ−２１」、「Ｆ−２２」、「Ｆ−２３」、及び「Ｆ−２４」とサブカウンタ表示部１３ｃに表示すればよい。なお、これらに対しては、従来のＡＢＣ表示に従い、それぞれ「Ｂ，Ｃ，ガス止」、「ガス止」、「ガス止」、及び「Ｂ，Ｃ，ガス止」の表示がセキュリティ表示部１３ｂになされる。
【００３１】
外部センサ遮断の事象は、圧力センサ１２ｃによる圧力低下検知、感震器１２ｄによる地震検知、警報器２３による警報検知、及び外部２機器２５等に接続された第二警報器による警報検知が挙げられ、それぞれ、例えば「Ｆ−３１」、「Ｆ−３２」、「Ｆ−３３」、及び「Ｆ−３４」とサブカウンタ表示部１３ｃに表示すればよい。なお、これらに対しては、従来のＡＢＣ表示に従い、それぞれ「Ｂ，Ｃ，ガス止，Ｐ」、「Ｂ，Ｃ，ガス止」、「Ｂ，Ｃ，ガス止」、及び「Ｂ，Ｃ，ガス止」の表示がセキュリティ表示部１３ｂになされる。
【００３２】
そして、本発明の主たる特徴に係わる流量による遮断の事象としては、全て流量センサ１２ｂ等による検知であり、復帰安全確認中の漏洩検知、合計流量が閾値を越えたことの検知、増加流量が閾値を越えたことの検知、継続使用時間が閾値を越えたことの検知、及びそれらの検知によって行われるべき遮断が行われなかったことの異常検知が挙げられ、それぞれ、例えば「Ｆ−４１」、「Ｆ−４２」、「Ｆ−４３」、「Ｆ−４４」、及び「Ｆ−４５」とサブカウンタ表示部１３ｃに表示すればよい。なお、これらに対しては、従来のＡＢＣ表示に従い、それぞれ「Ｂ，Ｃ，ガス止」、「Ｃ，ガス止」、「Ｃ，ガス止」、「Ａ，Ｃ，ガス止」、及び「Ａ，Ｂ，Ｃ」の表示がセキュリティ表示部１３ｂになされる。
【００３３】
本発明における報知手段は、このような表示を行うだけに留まらず、遮断の要因となったセンサ部１２で検知した異常がガス流量に関する異常であった場合、すなわち流量センサ１２ｂによる計測に基づく異常であった場合に、使用ガス器具を推測可能な情報を表示する表示手段を有する。この表示手段は、例えば、サブカウンタ表示部１３ｃにそのような推測可能な情報を、上述の「Ｆ−４１」、「Ｆ−４２」、「Ｆ−４３」、「Ｆ−４４」、及び「Ｆ−４５」などに付加して表示する手段が該当する。
【００３４】
すなわち、本発明では、ガス器具使用に起因する流量遮断が発生した場合、「遮断の詳細要因」として、遮断流量値、遮断流量区分、遮断使用時間などの使用ガス器具を推定可能な情報を付加して表示（報知）する。
【００３５】
このように、流量遮断の時に使用ガス器具を推測可能な情報を付加した内容を表示することで、ガス事業者やガス使用者がその情報を見て遮断の原因となった使用ガス器具を推測できる。
【００３６】
従って、ガス事業者やガス使用者は、遮断要因に対する対応が適切に行え、遮断対応から弁開までの作業効率向上が図れる。これにより、ガス使用者宅でのガス使用の利便性、安全性の向上を図ることができる。
【００３７】
例えば、遮断時におけるガス事業者からガス使用者への電話対応において、遮断にいたった使用ガス器具を推定することが可能であり、ガス使用者へのアドバイスが可能になる。それを基にガス使用者自身が弁開操作を行うことも可能になり、ガス事業者が対応するよりも早い時間で再びガスを使用することが可能になる。また、ガス事業者が現地で遮断要因に対する対応を行う場合でも、ガスメータ設定値と使用ガス器具の関係が明らかになり適切なガスメータ設定値を設定することが可能になるので、次回ガス器具使用時に同じ遮断をしなくなる。
【００３８】
図３は、図１のガスメータにおける表示部の表示例を示す図で、本発明の主たる特徴部分である上述の表示手段での表示結果の例を示す図である。図３において、３０は表示部１３の表示画面であり、３１はセキュリティ表示部１３ｂのセキュリティ表示画面であって画面３０中のＡＢＣ表示領域を指し、３２はサブカウンタ表示部１３ｃのサブカウンタ表示画面であって画面３０中の遮断詳細要因表示領域を指す。
【００３９】
上述の表示手段は、ガス流量に関する異常が、合計流量が所定の遮断流量値を上回る異常であったとき、推測可能な情報としてその遮断流量値を示す情報を表示することが好ましい。図３（Ａ）を参照して説明すると、合計流量遮断をした時には、上述したように、遮断の詳細要因の表示としてサブカウンタ表示画面３２に合計流量遮断を示す「Ｆ−４２」を表示する。これに加えて、遮断流量値が３０００Ｌ／ｈである場合、それを示す情報として、サブカウンタ表示画面３２に例えば遮断流量値の上２桁の情報「３０」を表示する。
【００４０】
合計流量遮断時に遮断流量を表示させることにより、ガスメータ１の遮断設定値に対するガス器具使用状態の確認が行える。これにより、ガスメータ設定状態とガス器具使用状態の関係が明確になるため、適切な遮断設定値の再設定を含む弁開時の作業効率向上と安全確認により弁開後のガス使用の利便性、安全性の向上を図ることができる。
【００４１】
また、上述の表示手段は、ガス流量に関する異常が、増加流量が所定の遮断流量値を上回る異常であったとき、推測可能な情報としてその遮断流量値を示す情報を表示することが好ましい。図３（Ｂ）を参照して説明すると、増加流量遮断をした時には、上述したように、遮断の詳細要因の表示としてサブカウンタ表示画面３２に増加流量遮断を示す「Ｆ−４３」を表示する。これに加えて、遮断流量値が２５００Ｌ／ｈである場合、それを示す情報として、サブカウンタ表示画面３２に例えば遮断流量値の上２桁の情報「２５」を表示する。
【００４２】
増加流量遮断時に遮断流量を表示させることにより、ガスメータ１の遮断設定値に対するガス器具使用状態の確認が行える。これにより、ガスメータ設定状態とガス器具使用状態の関係が明確になるため、適切な遮断設定値の再設定を含む弁開時の作業効率向上と安全確認により弁開後のガス使用の利便性、安全性の向上を図ることができる。
【００４３】
また、上述の表示手段は、ガス流量に関する異常が、継続使用時間が所定の遮断使用時間を上回る異常であったとき、推測可能な情報としてその流量区分を示す情報を表示することが好ましい。図３（Ｃ）を参照して説明すると、継続使用時間流量遮断をした時には、上述したように、遮断の詳細要因の表示としてサブカウンタ表示画面３２に継続使用時間遮断を示す「Ｆ−４４」を表示する。これに加えて、遮断流量区分が区分２の場合、それを示す情報として、遮断流量区分の情報「０２」を表示する。
【００４４】
ここで、ガスメータ１はガス流量を予め定めた複数の流量区分毎に積算可能とする。流量区分は、例えば、単位時間当たりの流量［Ｌ／ｈ］が、〜２１未満を区分１、〜６３未満を区分２−１、〜１２５未満を区分２−２、〜２１０未満を区分２−３、〜２５０未満を区分３、〜２９０未満を区分４、．．．、〜１４６０以上を区分１３として予め決めておけばよい。上述の例では、区分２は、２１以上２１０未満が該当することとなる。
【００４５】
継続使用時間遮断時に遮断流量区分を表示させることにより、ガスメータ１の遮断設定値に対するガス器具使用状態の確認が行える。これにより、ガスメータ設定状態とガス器具使用状態の関係が明確になるため、適切な遮断設定値の再設定を含む弁開時の作業効率向上と安全確認により弁開後のガス使用の利便性、安全性の向上を図ることができる。
【００４６】
また、ガス流量に関する異常が、継続使用時間が所定の遮断使用時間を上回る異常であったとき、上述の表示手段は、推測可能な情報として、流量区分の代わりに或いは流量区分に加えて、その遮断使用時間を示す情報を表示するようにしてもよい。図３（Ｄ）を参照して説明すると、継続使用時間流量遮断をした時には、上述したように、遮断の詳細要因の表示としてサブカウンタ表示画面３２に継続使用時間遮断を示す「Ｆ−４４」を表示する。これに加えて、遮断使用時間が１２０分である場合、１２０分の連続使用時間で遮断したことを示すために、例えば遮断使用時間の情報「１２０」をそのまま表示する。流量区分と遮断使用時間とを同時に表示する場合には、例えば「０２  １２０」を表示すればよい。
【００４７】
継続使用時間遮断時に遮断使用時間を表示させることにより、ガスメータ１の遮断設定値に対するガス器具使用状態の確認が行える。これにより、ガスメータ設定状態とガス器具使用状態の関係が明確になるため、適切な遮断設定値の再設定を含む弁開時の作業効率向上と安全確認により弁開後のガス使用の利便性、安全性の向上を図ることができる。
【００４８】
また、上述のごとき表示後、ガス事業者又はガス使用者が弁開操作を行うこととなる。その後には復帰確認が行われるが、復帰確認中は、サブカウンタ表示画面３２には、例えば、確認に必要な残り時間をカウントダウン方式で「３０」秒，「２９」秒，．．．，「０」秒などと表示するようにしてもよい。この間に復帰が完了すれば、セキュリティ表示画面３１及びサブカウンタ表示画面３２ともに表示を消すとよい。一方、この間の復帰確認によって復帰が不可と判定された場合には、ＡＢＣ表示はそのままにして、サブカウンタ表示画面３２で復帰確認不可要因を表示することが好ましい。例えば、図２（Ｂ）で例示したように、復帰確認不可要因として、弁開スイッチ押下中によるもの、及び宅内開状態であるものに対し、それぞれ、「Ｈ−１１」、及び「Ｈ−１２」を割り当てて表示させるとよい。また、ここでも例えば「Ｈ−１１」の方を優先して表示するといった具合に優先順位を付けておくことが好ましい。また、このような復帰確認不可要因を表示中も、上述の使用ガス器具を推測可能な情報は表示したままとしてもよい。
【図面の簡単な説明】
【００４９】
【図１】本発明の一実施形態に係るガスメータの一構成例を示す図で、一般的なマイコンメータの一構成例を示す図でもある。
【図２】図１のガスメータにおいてガス供給遮断となる事象及びその表示例を示す図である。
【図３】図１のガスメータにおける表示部の表示例を示す図である。
【図４】従来のガスメータにおける表示部の表示例を示す図である。
【符号の説明】
【００５０】
１…ガスメータ、２…外部装置、１０…制御部、１０ａ…マイクロコンピュータ（マイコン）、１０ｂ…インタフェース、１０ｃ…電池、１０ｄ…テスト遮断スイッチ、１０ｅ…容器リセットスイッチ、１１…計量部、１１ａ…計量機能、１２…センサ部、１２ａ…電圧検出センサ、１２ｂ…流量センサ、１２ｃ…圧力センサ、１２ｄ…感震器、１３…表示部、１３ａ…積算表示部、１３ｂ…セキュリティ表示部、１３ｃ…サブカウンタ表示部、１４…遮断部、１４ａ…双方向遮断弁、１４ｂ…復帰ボタン、１５…端子台、２１…宅内操作器、２２…網制御装置（ＮＣＵ）、２３…ガス洩れ警報器、２４…外部１機器、２５…外部２機器、３０…表示画面、３１…セキュリティ表示画面、３２…サブカウンタ表示画面。
【図１】
2008275430.tif 000003
【図２】
2008275430.tif 000004
【図３】
2008275430.tif 000005
【図４】
2008275430.tif 000006